(57)【要約】      （修正有）【課題】重量低減、建築物内部の自然通風、省エネルギーで垂直昇降できる可動フロアの提供。【解決手段】可動フロア、昇降装置、及び下向き反転型可動階段からなり、可動フロアは、その四辺を亜鉛メッキ角管と鋼メッシュとからなる安全欄干で囲うと共にその下方に金属フレームから構成された通気性床面で構成され昇降装置は、多段式油圧シリンダー駆動装置、オイル・タンク、駆動モーター、伝動装置から構成されると共に可動フロア下方に配置されて、可動フロアを下向き反転型可動階段の届く範囲までの高さで昇降させ、下向き反転型可動階段は、安全ラッチによって不使用時には安全欄干に固定されると共に、可動フロアの下降位置において反転して安全欄干手摺に沿って配置されて使用可能状態とされる油圧昇降式可動フロア。【選択図】図１
0003140788.tif 000002
【実用新案登録請求の範囲】
【請求項１】
油圧昇降式可動フロアであって、
可動フロア、昇降装置、及び下向き反転型可動階段からなり、
鉄骨建築物の主構造完成後、上下フロア間の建築物の工型桁のH型鋼柱の間の平面スペースに設置されるものであって、
上記可動フロアは、その四辺を亜鉛メッキ角管の枠と鋼メッシュとを交互に組合せた安全欄干によって囲うと共にその下方に金属フレームから構成された通気性床面を据付けて構成され、
上記昇降装置は、多段式油圧シリンダー駆動装置、オイル・タンク、駆動モーター、伝動装置から構成されると共に該可動フロア下方に配置されて、該伝動装置により多段式油圧シリンダー装置駆動時の油圧の違いによる可動フロア左右のアンバランス発生を防止するようフロアの同期昇降を制御して、該可動フロアを下向き反転型可動階段の届く範囲までの高さで昇降させ、
上記下向き反転型可動階段は、安全ラッチによって不使用時には安全欄干に固定されると共に、可動フロアの下降位置において反転して安全欄干手摺に沿って配置されて使用可能状態とされるようにしたことを特徴とする、油圧昇降式可動フロア。
【考案の詳細な説明】
【技術分野】
【０００１】
本考案は、油圧昇降式可動フロアに係わり、建築物の上下のフロアの間を昇降して利用者の利用の便に供するものに関する。
【背景技術】
【０００２】
普通の建築物においては固定階段を介して隣接する上下二フロアを繋ぐのは一般的である。しかしながら、これでは屈折して配置された階段のためにスペースは浪費され、また、高温多湿環境に於いては建築物内部の自然通風にも支障がある。
また、周知の伝統的なリフトなどの昇降装置は、大半、昇降式の品物運搬器具又は昇降式駐車場などに使用され、固定階段による平面上のスペース浪費の問題が解決できるが、このような昇降装置の構成部材は複雑であり、操作も面倒なので、これらの用途に限られており、しかも上下方向に大きなスペースを要するため一般家庭用家屋の室内スペースに設置するには適さない。
【特許文献１】特開２００３−３２０８９２号公報
【考案の開示】
【考案が解決しようとする課題】
【０００３】
一般家庭の寝室、倉庫又は貯蔵室等の小規模な建築物に於いて、十分なスペースを確保すると同時に建築物内部の自然通風を保ち、平素使用しない時に収納される状態にあって、使用時には安全に上下に昇降でき、かつ簡単な構造で実現可能であると共にスペースを浪費しない可動フロアを提供することを課題とする。
【課題を解決するための手段】
【０００４】
上記の問題点を解決する為、本考案に関する油圧昇降式可動フロアは、
可動フロア、昇降装置、及び下向き反転型可動階段からなり、
鉄骨建築物の主構造完成後、上下フロア間の建築物の工型桁のH型鋼柱の間の平面スペースに設置されるものであって、
上記可動フロアは、その四辺を亜鉛メッキ角管の枠構造と鋼メッシュとを交互に組合せた安全欄干によって囲うと共にその下方に金属フレームから構成された通気性床面を据付けて構成され、
上記昇降装置は、多段式油圧シリンダー駆動装置、オイル・タンク、駆動モーター、伝動装置から構成されると共に該可動フロア下方に配置されて、該伝動装置により多段式油圧シリンダー装置駆動時の油圧の違いによる可動フロア左右のアンバランス発生を防止するようフロアの同期昇降を制御して、該可動フロアを下向き反転型可動階段の届く範囲までの高さで昇降させ、
上記下向き反転型可動階段は、安全ラッチによって不使用時には安全欄干に固定されると共に、可動フロアの下降位置において反転して安全欄干手摺に沿って配置されて使用可能状態とされるようにしたことを特徴とする、可動フロアである。
【０００５】
又、これらの構成において、住居の安全性を配慮し、本考案に関する油圧昇降式可動フロアは非常停止スイッチ、上下リミット・スイッチ、油圧管爆発防止弁、高圧自動油戻り弁、ヒューズレス保護スイッチ及び過電圧保護などの電源制御器安全装置を備え、可動フロアの昇降、非常停止を制御し、誤操作による暴走昇降を防止する安全機能(図示してはいないが、別途制御パネルにより制御する)を有するようにすることができる。
【０００６】
本考案に関する油圧昇降式可動フロアは、その四辺の安全欄干が亜鉛メッキ角管の枠と角目の鋼メッシュによって交互の組合せられ、その下方に金属フレームから構成された通気性床面が据付られるので重量も低減され、建築物内部の自然通風も強められた。このように、省エネルギー方式で物理環境の制御に成功し、室内も乾燥してより爽やかになり、快適性も高められた。可動フロアの側辺にアルミ製の下向き反転型可動階段が設置されており、平素時亜鉛メッキ角管の上にある安全ラッチを前に押し、前記下向き反転型可動階段を納めておく事によって、可動階段の下層スペースは露出させ、また、可動階段を使用する場合、欄干の上にあるラッチを後ろに引けば、前記下向き反転型可動階段を上から下に反転させて階段を下げて階段登りの便に供する。この下向き反転型可動階段の側辺には安全欄干手摺が設けられるので意識しない落下等による傷害を回避できる。
【考案の効果】
【０００７】
本考案者が検討に検討を重ねて、何回も試作、改善、研究した結果、新たな設計を有する油圧昇降式可動フロアの考案を完成した本考案に関する油圧昇降式可動フロアは、多段式油圧シリンダー駆動方式として油圧による上下駆動により、床板が金属フレームから構成された可動フロアを垂直に昇降させ、室内スペースの柔軟的、効率的な利用、及び建築物内部の自然通風の改善を実現した。このように、省エネルギー方式で物理環境を制御することに成功し、室内も乾燥してより爽やかになり、快適性も高められた。下向き反転型可動階段は、可動フロアの側辺に据付られ、降下時にこれを降ろし、使用者の登りに供し、上昇時に操作安全を確保する為、これを収めておくことができる。
【０００８】
上述したように、鉄骨建築物の主構造完成後、上下フロア間のスペース(建築物の工型桁のH型鋼柱)に可動フロアを設置し、その可動フロアの下方にオイル・タンク、駆動モーター、伝動装置を配設する。電源をONにし、起動されたモーターが多段式油圧装置を動かし、可動フロアを垂直に昇降させるので室内のスペースを効率的に利用できる。
多段式油圧シリンダーによる駆動方式として油圧により可動フロアを上下に駆動させて垂直に昇降するので室内のスペースを有効的に利用できる。床面は金属フレームにより組合せられたもので、重量低減だけでなく、建築物内部の自然通風も維持できる。このように、省エネルギー方式で物理環境を制御することに成功し、室内も乾燥してより爽やかになり、快適性も高められた。可動フロアの側辺に下向き反転型可動階段が据付られ、降下時にこれを降ろして、使用者の登りに供し、上昇時に操作安全を確保する為にこれを収納される。又、住居の安全性を考慮して、本考案は、非常停止スイッチ、上下リミット・スイッチ、油圧管爆発防止弁、高圧自動油戻り弁、ヒューズレス保護スイッチなどの安全装置を備え、過電圧保護機能を有し、一新された設計である。本考案は一般家庭の寝室、倉庫、貯蔵室、工場建物などに適用される。
【考案を実施するための最良の形態】
【０００９】
本考案の技術特徴を明確させる為、以下、参考図面を参照しながらさらに説明する。先ず、本考案に係わる図面と図面に用いた符号を説明する。
図１は本考案に係わる油圧昇降式可動フロアが住宅に配置される時の平面図である。
図２は第1図におけるA-A線の断面図で、その内符号1はH型鋼柱、符号2は伝動装置、符号3は亜鉛メッキ角管、符号5は通気性床面、符号6は下向き反転型可動階段、符号9は多段式油圧装置である。
図３は下向き反転型可動階段と安全ラッチとの結合立面図で、その内符号4は角目の鋼メッシュ、符号7は安全ラッチである。
図４は下向き反転型可動階段の側面図で、その内符号8は安全欄干手摺である。
【実施例】
【００１０】
本実施例は、本出願人の試験住宅で実際に実施され、完成したものである。鉄骨建築物の上下フロア間のスペースに可動フロアを設置し、H型鋼柱1、伝動装置2、亜鉛メッキ角管3、角目鋼メッシュ4、通気性床面5、下向き反転型可動階段6、安全ラッチ7、安全欄干手摺8、多段式油圧装置9などの部材によって構成され、多段式油圧シリンダー駆動方式により、可動フロアを上下に駆動して垂直に昇降させる。
図１〜図４に示すように、鉄骨建築物の主構造完成後、鉄骨建築物の上下フロア間のスペースに可動フロアを設置し、前記可動フロアの下方にオイル・タンク、モーター(図示していない)、伝動装置2が設置された。多段式油圧シリンダー駆動方式により、油圧を介し上下に可動フロアを駆動して垂直に昇降させる。電源ONにしモーター作動後、油圧装置が駆動され、垂直に昇降できる油圧昇降式可動フロアは形成された。
前記伝動装置2は同期して上昇するように可動フロアを制御し、多段式油圧装置駆動時に油圧の違いによる可動フロア左右のアンバランス発生を回避する。油圧昇降可動フロアは非常停止スイッチ、上下リミット・スイッチ、油圧管爆発防止弁、高圧自動油戻り弁、ヒューズレス保護スイッチ及び過電圧保護などの電源制御器安全装置を備え、可動フロアの昇降、非常停止を制御し、誤操作による暴走昇降を防止する安全機能を有する。
本考案に関する油圧昇降可動フロアは、その四辺の安全欄干が亜鉛メッキ角管3の枠と角目の鋼メッシュ4によって交互に組合せられて、その下方に金属フレームから構成された通気性床面5が据付られるので、重量も低減され、建築物内部の自然通風状況にも差支えが無い。このように、省エネルギー方式で物理環境を制御することができ、室内も乾燥してより爽やかになり、快適性も高められた。
前記可動フロアの側辺にアルミ製の下向き反転型可動階段6が設置され、平素可動階段の下層スペースを利用する場合、亜鉛メッキ角管の上にある安全ラッチ7を前に押し、可動階段を収めておく。利用者が可動階段を使用する場合、欄干の上にあるラッチを後ろに引き、下向き反転型可動階段を上から下に反転させ、階段の高さを下げて、階段登りの使用に供し、且つ人体工学の要求に合致する。下向き反転型可動階段の側辺には安全欄干手摺8が設けられるので落下による不意の傷害を回避できる。住居の安全性を配慮し、本考案はさらに非常停止スイッチ、上下リミット・スイッチ、油圧管爆発防止弁、高圧自動油戻り弁、ヒューズレス保護スイッチなどの安全装置を配置し、過電圧保護機能を有するので、油圧昇降式可動フロアの考案の完成に至った。
上述の如く、鉄骨建築物の主構造完成後、上下フロア間のスペースに本考案の可動フロアを設置し、その可動フロアの下方にオイル・タンク、駆動モーター、伝動装置を設置し、電源ONして駆動モーター作動により多段式油圧シリンダ装置を駆動して垂直に昇降できる可動フロアが形成されたので、これらの簡単な構成により室内のスペースはもっと効率的に利用でき、従来の室内スペース浪費の欠点は克服された。
【図面の簡単な説明】
【００１１】
【図１】本考案に関わる油圧昇降式可動フロアが鉄骨建築物の住宅に配置される時の平面図である。
【図２】図１におけるA-A線断面図である。
【図３】本考案に関わる油圧昇降式可動フロアの下向き反転型可動階段と安全ラッチとの結合立面図である。
【図４】本考案に関わる油圧昇降式可動フロア内の下向き反転型可動階段の側面図である。
【符号の説明】
【００１２】
1. H型鋼柱
2. 伝動装置
3. 亜鉛メッキ角管
4. 角目鋼メッシュ
5. 通気性床面
6. 下反転型可動階段
7. 安全ラッチ
8. 安全欄干手摺
9. 多段式油圧装置
【図１】
0003140788.tif 000003
【図２】
0003140788.tif 000004
【図３】
0003140788.tif 000005
【図４】
0003140788.tif 000006